(57)【要約】【課題】屋上にハト小屋を形成せずに屋上スラブを貫通する配管の雨仕舞いをすることで、工事費用の低減を図るとともに工期の短縮を図ることができる屋上スラブ貫通スリーブおよびその施工方法を提供することを目的としている。【解決手段】建物１内から建物１の屋上スラブ２上に配設される配管２５が内部に挿通される筒状の屋上スラブ貫通スリーブであって、屋上スラブ２に形成される貫通孔３と、屋上スラブ２上に立設されるとともに貫通孔３に連通される筒状のスリーブ本体４と、スリーブ本体４の上端部に設けられるとともに下方に折り返えされている筒状の屈曲部２１とから構成されている。【選択図】      図１
2004308127.tif 000002
【特許請求の範囲】
【請求項１】
建物内から該建物の屋上スラブ上に配設される配管が内部に挿通される筒状の屋上スラブ貫通スリーブであって、
前記屋上スラブに形成される貫通孔と、前記屋上スラブ上に立設されるとともに前記貫通孔に連通される筒状のスリーブ本体と、該スリーブ本体の上端部に設けられるとともに下方に折り返えされている筒状の屈曲部とから構成されていることを特徴とする屋上スラブ貫通スリーブ。
【請求項２】
請求項１記載の屋上スラブ貫通スリーブにおいて、
前記スリーブ本体と前記屈曲部との間には、下端が前記スリーブ本体内に挿設され上端が前記屈曲部内に挿設されたソケット部を介して接続されていることを特徴とする屋上スラブ貫通スリーブ。
【請求項３】
請求項１または２記載の屋上スラブ貫通スリーブにおいて、
前記スリーブ本体の外周部には前記屋上スラブの上面を被覆する防水層が巻き付けられて該防水層の立上り部が形成され、前記スリーブ本体には前記立上り部の上端部を囲う笠状のカバー部が取り付けられていることを特徴とする屋上スラブ貫通スリーブ。
【請求項４】
請求項１から３のいずれかに記載の屋上スラブ貫通スリーブの施工方法であって、
前記屋上スラブに前記貫通孔を形成し、該貫通孔に連通する筒状の前記スリーブ本体を前記屋上スラブ上に立設し、該スリーブ本体の上端部に下方に折り返された筒状の屈曲部を接続するとともに前記スリーブ本体内および前記屈曲部内に配管を挿通させることを特徴とする屋上スラブ貫通スリーブの施工方法。
【発明の詳細な説明】
【０００１】
【発明の属する技術分野】
本発明は、建物内の配管を屋上に立ち上げる際の屋上スラブ貫通スリーブおよびその施工方法に関する。
【０００２】
【従来の技術】
従来、建物内の配管を屋上に立ち上げる際には、屋上スラブに配管が挿通する貫通孔を形成するとともにこの貫通孔を覆うように鳩小屋を形成することが行われている。鳩小屋は屋上スラブを貫通する配管の雨仕舞いをよくすることを目的に設けられており、鳩小屋により屋上防水の納まりがよくなる（例えば、実用新案文献１参照。）。
【０００３】
【特許文献１】
実開平５−６９２３３号公報  （第２頁、第６図）
【発明が解決しようとする課題】
しかしながら、上記した鳩小屋を形成する従来の方法では、鳩小屋を形成するには相当の手間が必要となり、工期およびコストが嵩むという問題が存在する。鳩小屋を形成する場合、まず屋上スラブに鳩小屋の内型枠を組み、次に鳩小屋の鉄筋を配筋し、次に鳩小屋の外型枠を組み、小屋状に建てられた型枠内にフレッシュコンクリートを流し込み、コンクリートの固化後に型枠を脱型して形成する。在来工法による鳩小屋は、その規模が小さいのに対して施工には相当の手間が必要である。また、予め組み立てられた鋼製の鳩小屋は、容易に施工することはできるが、その鳩小屋部材は高価であり、施工にかかるコストが嵩む。
【０００４】
本発明は、上記した従来の問題が考慮されたものであり、屋上にハト小屋を形成せずに屋上スラブを貫通する配管の雨仕舞いをすることで、工事費用の低減を図るとともに工期の短縮を図ることができる屋上スラブ貫通スリーブおよびその施工方法を提供することを目的としている。
【０００５】
【課題を解決するための手段】
請求項１記載の発明は、建物内から該建物の屋上スラブ上に配設される配管が内部に挿通される筒状の屋上スラブ貫通スリーブであって、前記屋上スラブに形成される貫通孔と、前記屋上スラブ上に立設されるとともに前記貫通孔に連通される筒状のスリーブ本体と、該スリーブ本体の上端部に設けられるとともに下方に折り返えされている筒状の屈曲部とから構成されていることを特徴としている。
【０００６】
このような特徴により、建物内の配管は、屋上スラブに形成された貫通孔内からスリーブ本体内、屈曲部内を通り屋上スラブ上に配管されるため、屋上スラブ上に鳩小屋を形成する必要はない。また、屋上スラブ貫通スリーブ上端部には下方に折り返えされた屈曲部が形成されているため、屋上スラブ貫通スリーブ端部から屋上スラブ貫通スリーブ内に雨が吹き込むことがあっても、雨水が貫通孔から建物内に浸入することはない。
【０００７】
請求項２記載の発明は、請求項１記載の屋上スラブ貫通スリーブにおいて、前記スリーブ本体と前記屈曲部との間には、下端が前記スリーブ本体内に挿設され上端が前記屈曲部内に挿設されたソケット部を介して接続されていることを特徴としている。
【０００８】
このような特徴により、スリーブ本体と屈曲部とはソケット部を介して接続するため、簡易かつ密接に接続される。
【０００９】
請求項３記載の発明は、請求項１または２記載の屋上スラブ貫通スリーブにおいて、前記スリーブ本体の外周部には前記屋上スラブの上面を被覆する防水層が巻き付けられて該防水層の立上り部が形成され、前記スリーブ本体には前記立上り部の上端部を囲う笠状のカバー部が取り付けられていることを特徴としている。
【００１０】
このような特徴により、防水層の立上り部は笠状のカバー部により保護され、立上り部の上端部が雨風に晒されることはない。
【００１１】
請求項４記載の発明は、請求項１から３のいずれかに記載の屋上スラブ貫通スリーブの施工方法であって、前記屋上スラブに前記貫通孔を形成し、該貫通孔に連通する筒状の前記スリーブ本体を前記屋上スラブ上に立設し、該スリーブ本体の上端部に下方に折り返された筒状の屈曲部を接続するとともに前記スリーブ本体内および前記屈曲部内に配管を挿通させることを特徴としている。
【００１２】
このような特徴により、配管を貫通させる屋上スラブ貫通スリーブは、鉄筋コンクリート造の鳩小屋などのように養生期間等かなく、短期間に組み立てられる。
【００１３】
【発明の実施の形態】
以下に、本発明に係る屋上スラブ貫通スリーブおよびその施工方法の実施の形態について図面に基づいて説明する。
【００１４】
図１に示すように、建物１の屋上を形成する鉄筋コンクリート造の屋上スラブ２には、円柱形の貫通孔３が形成されている。貫通孔３が形成されている屋上スラブ２の上方には、貫通孔３と連通している円筒状のスリーブ本体４が立設されている。スリーブ本体４の下端部には屋上スラブ２上面に対向する環状のフランジ部５が形成されており、フランジ部５には鉛直方向に貫通する雌ねじ穴６が複数設けられている。雌ねじ穴６に対向する屋上スラブ２にはアンカー７が埋め込まれており、雌ねじ穴６およびアンカー７には雄ねじ８が螺合されている。また、フランジ部５端部の側方には屋上スラブ２上面との間でモルタル材９が斜めに擦り付けられており、モルタル材９により屋上スラブ２上面からフランジ部５端部の上面までの間で滑らかな傾斜面が形成されている。
【００１５】
スリーブ本体４の外周面には、屋上スラブ２上に被覆された防水層１８が巻き付けられ、防水層１８の立上り部１９が形成されている。防水層１８は屋上スラブ２上に図示せぬ防水シートを幾層にも重ねて形成されており、立上り部１９は屋上スラブ２上に敷設された防水シートと一体の防水シートによって形成されている。立上り部１９は屋上スラブ２上に敷設された図示せぬ防水シートの端部を上方に立ち上げるように巻き付けて形成されており、その上端部は剥離防止のためスリーブ本体４上端部で銅線２０が巻かれている。
【００１６】
スリーブ本体４の上端面には、スリーブ本体４の上端部から中間部にかけてスリーブ本体４の外周面を囲う笠状のカバー部１４が取り付けられており、カバー部１４によって防水層１８の立上り部１９の上端部はで囲まれている。カバー部１４は、下方に向かって広がるテーパ−状の笠部１５と、スリーブ本体４の上端面に載せられるとともにスリーブ本体４と連通されている筒部１６とから構成されている。カバー部１４は笠部１５上端部に均等に設けられた複数の固定用ねじ１７によって固定されている。
【００１７】
カバー部１４の筒部１６の内周面には雌ねじ面１０が形成されており、筒部１６内には中空のソケット部１１が螺合されている。ソケット部１１の下端には雌ねじ面１０に螺合する雄ねじ面１２が形成されており、上端には円柱形の挿入部１３が形成されている。また、ソケット部１１の中間部は、断面が多角形に形成されているとともに、両端よりも若干大きな断面が形成されている。
【００１８】
スリーブ本体４の上端部には、下方に折り返された筒状の屈曲部２１がソケット部１１を介して接続されている。屈曲部２１は、９０度に屈曲した筒状の第１のエルボ２２、４５度に屈曲した筒状の第２のエルボ２３および円筒状の短管２４から形成されている。鉛直下方に向いている第１のエルボ２２の一端はソケット部１１の挿入部１３に嵌装されており、水平方向に向いている第１のエルボ２２他端の側方には第２のエルボ２３が配置されている。第２のエルボ２３の一端は第１のエルボ２２の他端と対向するように水平方向に向けられており、第２のエルボ２３の他端は斜め下方に向けられている。第１のエルボ２２の他端と第２のエルボ２３の一端との間には短管２４が介装されており、短管２４の両端部は第１のエルボ２２の他端および第２のエルボ２３の一端にそれぞれ嵌入されている。
【００１９】
また、貫通孔３、スリーブ本体４および屈曲部２１の内部には、屋上スラブ２下から立ち上げられる複数（図では二本）の貫通配管２５がそれぞれ挿通されている。この貫通配管２５は、内部に冷媒が流通する銅管により構成されており、複数の貫通配管２５は束ねられている。貫通配管２５は、スリーブ本体４内およびソケット部１１内に配設された鉛直方向に延在する鉛直銅管２５ａと、短管２４内に配設された水平方向に延在する水平銅管２５ｂとから構成されており、鉛直銅管２５ａと水平銅管２５ｂとは第１のエルボ２２内に配設された９０度溶接エルボ２５ｃを介して溶接接合されている。また、屋上スラブ２下にはソケット状の溶接継手２６が配設されており、貫通配管２５の下端は建物１内部に配設された銅管からなる内部配管２７の端部に溶接継手２６を介してそれぞれ溶接接続されている。また、第２のエルボ２３内には４５度溶接エルボ２８ａが配設されており、貫通配管２５の上端は屋上スラブ２上に斜めに配設された銅管からなる屋上配管２９ａに４５度溶接エルボ２８ａを介して溶接接合されている。
【００２０】
第２のエルボ２３の他端からは斜めに延在する屋上配管２９ａが突設されており、この突設した部分にはシーリング処理が施されている。また、斜めに延在する屋上配管２９ａの下端には４５度溶接エルボ２８ｂを介して屋上スラブ２上に水平に配設された屋上配管２９ｂの一端に接続されており、水平に配設された屋上配管２９ｂの他端には屋上スラブ２上に設置された室外機などからなる図示せぬ設備機器が接続されている。また、屋上配管２９ａ、２９ｂには、衝撃や雨風から保護する円筒形のラッキングカバー３０が取り付けられている。
【００２１】
次に、上記した構成からなる屋上スラブ貫通スリーブの施工方法について説明する。
【００２２】
まず、屋上スラブ２のコンクリートを打設する前に、図示せぬスラブ型枠上の所定位置に円筒形の図示せぬボイドをセットする。このとき、配管ルートを短くするとともに複数の貫通配管２５を束ねることを考慮し、また構造上問題とならない位置を選択する。そして、図示せぬスラブ型枠上にフレッシュコンクリートを打設して屋上スラブ２を形成する。コンクリートの固化後に図示せぬボイドを撤去して貫通孔３を形成する。また、コンクリート打設後、適当な養生期間をおいた後にスラブ型枠を脱型する。
【００２３】
次に、屋上スラブ２上にスリーブ本体４を貫通孔３に連通させるように配置するとともに、予め所定位置に打ち込まれたアンカー７とフランジ部５に設けられた雌ねじ穴６とを合わせる。そして、雄ねじ８を雌ねじ穴６の上方から螺合させて、スリーブ本体４を屋上スラブ２上に固定する。また、次に屋上スラブ２上に施す防水層１８を空隙なく被覆させるため、フランジ部５端部の側方に屋上スラブ２上面からモルタル材９を斜めに擦り付けて滑らかな傾斜面を形成する。
【００２４】
次に、屋上スラブ２に防水層１８を被覆させるとともに、屋上スラブ２上面に施される防水層１８をスリーブ本体４の外周に巻き付けて防水層１８の立上り部１９を形成する。スリーブ本体４の上端部まで巻き付けられた立上り部１９の剥離を防止するため、スリーブ本体４の外周面に沿って立上り部１９の上端部に銅線２０を巻き付ける。次に、スリーブ本体４にスリーブ本体４の外周面を囲うカバー部１４を取り付ける。カバー部１４の筒部１６がスリーブ本体４に連通するように筒部１６をスリーブ本体４の上端面に載せる。そして、笠部１５に均等に設けられた複数の固定用ねじ１７をそれぞれ締め付け、固定用ねじ１７の先端をスリーブ本体４に当接させることでカバー部１４をスリーブ本体４に固定する。また、カバー部１４の筒部１６の内周面に形成された雌ねじ面１０にソケット部１１の雄ねじ面１２を螺合させ、ソケット部１１をスリーブ本体４の上端に取り付けて連通させる。
【００２５】
次に、鉛直銅管２５ａと水平銅管２５ｂとを９０度溶接エルボ２５ｃを介して溶接接合し、Ｌ字形の貫通配管２５を複数形成する。複数の貫通配管２５をソケット部１１上方からソケット内、スリーブ本体４内および貫通孔３内にそれぞれ挿通させる。また、複数の貫通配管２５の上端部はそれぞれ同方向に向けて９０度に屈曲させ、複数の貫通配管２５の上端部には、第１のエルボ２２、第２のエルボ２３および短管２４を予め通しておく。
【００２６】
次に、貫通配管２５の下端部を内部配管２７の端部に溶接継手２６を介して溶接接合するとともに、貫通配管２５の上端部を斜めに延在する屋上配管２９ａの上端に４５度溶接エルボ２８ａを介して溶接接合する。そして、斜めに延在する屋上配管２９ａの下端を水平方向に延在する屋上配管２９ｂの一端に４５度溶接エルボ２８ｂを介して溶接接合する。そして、水平方向に延在する屋上配管２９ｂの他端を屋上スラブ２上に設置された図示せぬ設備機器に接続する。
【００２７】
次に、ソケット部１１上端の挿入部１３に予め貫通配管２５に通されている第１のエルボ２２の一端を嵌装させるとともに、第１のエルボ２２の他端に短管２４の一端を嵌入し、さらに短管２４の他端に第２のエルボ２３の一端を嵌装させる。ソケット部１１の挿入部１３と第１のエルボ２２、第１のエルボ２２と短管２４、および短管２４と第２のエルボ２３は、それぞれ接着接合により固定している。そして、斜めに延在する屋上配管２９ａが第２のエルボ２３他端から突設している部分にシーリングを施し、屋上配管２９ａ、２９ｂにラッキングカバー３０を取り付ける。
【００２８】
上記した構成からなる屋上スラブ貫通スリーブおよびその施工方法によれば、内部配管２７と屋上配管２９ａ、２９ｂとを接続する貫通配管２５は貫通孔３内からスリーブ本体４内を通り屈曲部２１内に配設されるため、屋上スラブ２上に鳩小屋を形成する必要はない。これによって、鳩小屋を形成するより簡易である屋上スラブ貫通スリーブを形成することで、工事費用を軽減することができるとともに工期を短縮することができる。また、屋上スラブ貫通スリーブ上端部には下方に折り返えされた屈曲部２１が形成されているため、屈曲部２１端部から屋上スラブ貫通スリーブ内に雨が吹き込むことがあっても、雨水が屋上スラブ貫通スリーブ内を伝って建物１内に浸入することはない。これによって、建物１内への漏水防止を図る事ができる。
【００２９】
また、スリーブ本体４と屈曲部２１とはソケット部１１を介して接続されているため、簡易かつ密接に接続される。これによって、屋上スラブ貫通スリーブの組立作業は容易に行うことができる。また、防水層１８の立上り部１９上端部は笠状のカバー部１４により保護されているため、防水層１８の立上り部１９上端部は雨風に晒されることはない。これによって、スリーブ本体４の外周部に張り付けられた防水層１８の剥離を防止することができる。
【００３０】
以上、本発明に係る屋上スラブ貫通スリーブおよびその施工方法について説明してきたが、本発明は上記した実施の形態に限定されるものではなく、その趣旨を逸脱しない範囲で適宜変更可能である。例えば、上記した実施の形態では配管（貫通管２５、内部配管２７および屋上配管２９ａ、２９ｂ）に冷媒銅管を使用しているが、本発明は塩化ビニル管等でもよく、本発明に係る配管は空調用配管、給水用配管および電気ケーブル等を含むものとする。また、上記した実施の形態では複数の貫通管２５を束ねて挿通させているが、本発明は一本の配管のみを挿通させてもよい。
【００３１】
また、上記した実施の形態では貫通孔３、スリーブ本体４および屈曲部２１はそれぞれ円筒形に形成されているが、本発明は角形の貫通孔を形成して貫通孔に連通される角形のスリーブ本体および屈曲部を使用してもよい。また、一列に形成された複数の貫通孔或いは細長く開けられた貫通孔から例えば複数の電気ケーブルを並列に立ち上げ、中空板状のスリーブ本体および屈曲部の内部に配管を通してもよい。
【００３２】
また、上記した実施の形態の貫通孔３は図示せぬボイドによって屋上スラブ２に形成されているが、本発明の貫通孔はスリーブ材等の筒状の埋込部材を屋上スラブ２のコンクリート打設前にセットし、埋込部材を屋上スラブ２内に一体に設けて形成してもよい。また、埋込部材の上端部にフランジ部を形成し、スリーブ本体４のフランジ部５と埋込部材のフランジ部とを雄ねじで固定してもよい。これによって、位置合わせが難しいアンカー７は必要なく、スリーブ本体４を固定することができる。
【００３３】
また、上記した実施の形態では貫通孔３、スリーブ本体４および屈曲部２１はそれぞれ別個の単体からなっているが、本発明は、上記した埋込部材からなる貫通孔３とスリーブ本体４とを一体にした部材を使用してもよく、スリーブ本体４と屈曲部２１とを一体に形成した部材を使用してもよく、さらに貫通孔３とスリーブ本体４と屈曲部２１とを一体に形成した部材を使用してもよい。これによって、貫通孔３とスリーブ本体４、或いはスリーブ本体４と屈曲部２１を接続する手間は省略され、より簡易に設置することができる。なお、スリーブ本体４と屈曲部２１とを一体に形成する場合、配管には電気ケーブルのような屈曲部２１の折り返しの角度があっても挿通することができるフレキシブルなものが使用される。
【００３４】
また、上記した実施の形態では屈曲部２１の端部からは屋上スラブ２上に配設される配管が一本に束ねられて突設されているが、本発明は屈曲部２１の端部から複数の配管を各々の方向に向かって突設されてもよく、屈曲部端部に配管が突設される出口を複数設けてもよい。
【００３５】
【発明の効果】
以上のように説明した屋上スラブ貫通スリーブおよびその施工方法によれば、建物内から屋上スラブ上に立ち上げる配管は貫通孔内からスリーブ本体内を通り屈曲部内に配設されるため、屋上スラブ上に鳩小屋を形成する必要はなく、工事費用を軽減することができるとともに工期を短縮することができる。また、屋上スラブ貫通スリーブ上端部には下方に折り返えされた屈曲部が形成されているため、屋上スラブ貫通スリーブ端部から屋上スラブ貫通スリーブ内に雨が吹き込むことがあっても、雨水が屋上スラブ貫通スリーブ内を伝って建物内に浸入することはない。
【図面の簡単な説明】
【図１】本発明に係る屋上スラブ貫通スリーブおよびその施工方法を説明する断面図である。
【符号の説明】
１  建物
２  屋上スラブ
３  貫通孔
４  スリーブ本体
１１  ソケット部
１４  カバー部
１８  防水層
１９  立上り部
２１  屈曲部
２５  貫通配管（配管）
２７  内部配管（配管）
２９ａ、２９ｂ  屋上配管（配管）
【図１】
2004308127.tif 000003